(57)【要約】【課題】  本発明は、複数人が同時に同一のポータブルオーディオより、外部の雑音にさいなまれることなく音楽あるいは音声を一緒に聴けるイヤフォン並びにヘッドフォンを提供する。【解決手段】  複数人分のイヤフォンあるいはヘッドフォンに枝分かれさせたイヤフォン並びにヘッドフォンの構成することにより、複数人が同時に同一のポータブルオーディオより、外部の雑音にさいなまれることなく音楽あるいは音声を聴けるようにした。【選択図】  図３
2007097006.tif 000002
【特許請求の範囲】
【請求項１】
ポータブルオーディオ用のイヤフォンあるいはヘッドフォンであり、複数人分のイヤフォンあるいはヘッドフォンに枝分かれしていることを特徴とするイヤフォン。
【請求項２】
複数人用イヤフォンあるいはヘッドフォンであり、各々の音声出力調整器を備わっている請求項１に記載のイヤフォンあるいはヘッドフォン
【請求項３】
複数人用イヤフォンあるいはヘッドフォンであり、各々のイヤフォンあるいはヘッドフォンがプラグを介して着脱式である請求項１または請求項２に記載のイヤフォンあるいはヘッドフォン
【請求項４】
二人用イヤフォンあるいはヘッドフォンである請求項１または請求項２または請求項３に記載のイヤフォンあるいはヘッドフォン
【発明の詳細な説明】
【技術分野】
【０００１】
本発明は、ポータブルオーディオより音楽並びに音声を複数人で聴くことが可能なイヤフォン並びにヘッドフォンに関するものである。
【背景技術】
【０００２】
音楽再生あるいは音声再生機能を有する小型の携帯型電子機器すなわちポータブルオーディオが出現してきた。ハードディスク搭載型音楽再生装置であるｉＰＯＤ（アップル社製）やネットワークウォークマン（Sony社製）並びにメモリー搭載型音楽再生装置であるｉＰＯＤ  ｓｈｕｆｆｌｅ（アップル社製）やメモリー搭載ネットワークウォークマン（Sony社製）は、上記のポータブルオーディオの代表例である。さらに、音楽再生装置が付随している携帯電話も上記のポータブルオーディオの代表例である。
【０００３】
これらのポータブルオーディオに用いられるイヤフォンあるいはヘッドフォンは、一人用である。従って、カップルが同じ曲を聴くことは、基本的には不可能であった。あえて、同一のポータブルオーディオより二人で音楽あるいは音声を聞く場合には、イヤフォンのひとつずつを二人の片側の耳に装着させて、音楽あるいは音声を聞く必要があった。この場合には、片側の耳で、音楽あるいは音声を聞くために、ステレオ効果の音楽の音質が損なわれ、さらに、イヤフォンを装着していない他方の耳より、外部騒音が入ってくるために、二人が同時に良質な音楽を聞くことは不可能であった。さらには、３人以上で、同一のポータブルオーディオよりイヤフォンを用いて、音楽あるいは音声を聞くことは不可能であった。
【発明の開示】
【発明が解決しようとする課題】
【０００４】
前記の現状に鑑み、従来の技術が解決できなかった種々の問題を解決し、ポータブルオーディオより複数人が音楽あるいは音声を聞けるように、複数人分のイヤフォンに枝分かれさせたイヤフォン、あるいは、複数人分のヘッドフォンに枝分かれさせたヘッドフォンを採用することにより、ひとつのポータブルオーディオより複数人が同時に、音楽あるいは音声を聞けるイヤフォンあるいはヘッドフォンを提供することである。
【課題を解決するための手段】
【０００５】
上記目的を達成するために本発明が採用したイヤフォン並びにヘッドフォンの構成は、複数人分のイヤフォンあるいはヘッドフォンに枝分かれさせたイヤフォン並びにヘッドフォンであることを特徴とするものである。
【０００６】
音量の聴き具合は、個人差があるために、各々の個人用の音量調整器が、備わっていても良い。この音量調整器は、ポータブルオーデイオ端子から、複数人分用のイヤフォンあるいはヘッドフォンに分岐する前に、各々の個人用の音量調整器が備わっている場合と、ポータブルオーデイオ端子から、複数人分用のイヤフォンあるいはヘッドフォンに分岐した後に、各々の個人用の音量調整器がそれぞれ備わっていても良い。
【０００７】
あるいは、ポータブルオーデイオ端子から、複数人分用のイヤフォンあるいはヘッドフォンに分岐する前または後に、ポータブルオーデイオからの音量を唯一一つの音量調整器が備わっている場合でも良い。この場合には、各自の音量を別個に調整することはできないが、音量を大きくしたり、少なくしたりすることを、複数人分同時に行うことが可能である。
【０００８】
または、複数人分用のイヤフォンあるいはヘッドフォンに分岐している箇所を有するだけの単純な複数人用のイヤフォンあるいはヘッドフォンであっても良い。この時の音量調整は、ポータブルオーデイオの音量調整器を用いればよい。さらに、各自のイヤフォンあるいはヘッドフォンが着脱式で、一人が使用するときは、一人分のイヤフォンあるいはヘッドフォンのみで構成されていてもよい。すなわち、使用する人数分のみの各自のイヤフォンあるいはヘッドフォンで構成されていることが、各自のイヤフォンあるいはヘッドフォンを着脱式にすると可能となる。
【発明の効果】
【０００９】
本発明は、複数人が同時に同一のポータブルオーディオより音楽あるいは音声を、外部の雑音にさいなまれることなく聴けることが可能になった。
【発明を実施するための最良の形態】
【００１０】
以下、添付図面を参照し、例示のみを意図した本発明の実施態様の説明を行う。  
【００１１】
図１、図２および図３は、本発明の複数人分用のイヤフォンあるいはヘッドフォンの構成を説明するための図である。図１、図２および図３は、二人用を例として示しているが、同様に３人以上の人が、ひとつのポータブルオーディオから音声並びに音楽を聴けるように、３人分以上のイヤフォンあるいはヘッドフォンを、本発明の複数人分用イヤフォンあるいはヘッドフォンの構成に加えても良い。
【００１２】
図１に示すように、複数人分のイヤフォンあるいはヘッドフォンが、本発明の複数人分用イヤフォンあるいはヘッドフォンの構成に加えられている。本発明により、複数人がひとつのポータブルオーディオから音声並びに音楽を聴くことが可能である。
【００１３】
図２には、図１と同様に、複数人がひとつのポータブルオーディオから音声並びに音楽を聴くことが可能なように、複数人分のイヤフォンあるいはヘッドフォンが、本発明の複数人分用イヤフォンあるいはヘッドフォンの構成に加えられている。さらに、音量調整器（図２中１２）が、複数人分の音量調節するために加えられている。この音量調整器には、音声並びに音楽の再生、早送り、スキップ機能その他の機能が付加されていても、いなくても良い。さらに、ポータブルオーディオの電源スイッチが付加されていても良い。場合によっては、図２中の１２は、音量調整器ではなく、ポータブルオーディオの電源スイッチのみであってもよい。さらに、各々の各自が、音量調節するための音量調整器（図２中１４並びに１５）が加えられている。この音量調整器には、音声並びに音楽の再生、早送り、スキップ機能その他の機能が付加されていても、いなくても良い。さらに、ポータブルオーディオの電源スイッチが付加されていても良い。場合によっては、図２中の１４並びに１５の一方あるいは両方は、音量調整器ではなく、ポータブルオーディオの電源スイッチのみであってもよい。また、図２中の１２、１４、１５のいずれか、あるいはすべてが付加されていなくても良い。図２中の１２、１４、１５すべてが無い構成は、図１と同じ構成となる。さらに、図２中、１，２，５，６，９が一体となっており、同様に３，４，７，８，１０も一体となっておりプラグを介して１２あるいは１１と一方あるいは双方が着脱式で接続されていても良い。この時の構成図の一例を図３に示す。
【００１４】
以上より、本発明の構成の特徴は、複数人分のイヤフォンあるいはヘッドフォンが、本発明の複数人分用イヤフォンあるいはヘッドフォンの構成に加えられている。その構成のいかなる箇所に、ポータブルオーディオの電源スイッチ、音量調整器、音声並びに音楽の再生、早送り、スキップ機能その他の機能のスイッチが含まれていても、含まれなくても良い。
【図面の簡単な説明】
【００１５】
【図１】本実施の形態における複数人用のイヤフォンあるいはヘッドフォンの構成を示す図である。
【図２】本実施の形態における複数人用のイヤフォンあるいはヘッドフォンの構成を示す図である。
【図３】本実施の形態における複数人用のイヤフォンあるいはヘッドフォンの構成を示す図である。
【符号の説明】
【００１６】
１、２ ---  一方の人の片方の耳用のイヤフォンあるいはヘッドフォン、３，４ --- 他方の人の片方の耳用のイヤフォンあるいはヘッドフォン、５、６、７、８、９、１０、１３、１６、１７ --- イヤフォンあるいはヘッドフォンにおけるリード線、１１ ---  ポータブルオーディオに接続するプラグ、１２，１４，１５  ---  音声並びに音楽の再生、早送り、スキップ機能並びにその他の機能が付加していてもよい音量調節器あるいは電源スイッチ、１８，１９  --- プラグ
【図１】
2007097006.tif 000003
【図２】
2007097006.tif 000004
【図３】
2007097006.tif 000005